【手続補正書】
【提出日】平成18年4月10日(2006.4.10)
【手続補正１】
【補正対象書類名】明細書
【補正対象項目名】発明の名称
【補正方法】変更
【補正の内容】
【発明の名称】半導体装置の実装構造、電気光学装置及び電子機器
【手続補正２】
【補正対象書類名】明細書
【補正対象項目名】特許請求の範囲
【補正方法】変更
【補正の内容】
【特許請求の範囲】
【請求項１】半導体装置を基板の半導体装置実装領域に実装してなる半導体装置の実装構造において、
前記基板の半導体装置実装領域に第１の端子群を備え、
前記半導体装置には、前記第１の端子群に対して異方性導電膜によって電気的に接続される第１の電極群を備え、
前記第１の端子群には、前記第１の電極群を構成する複数の第１の電極と電気的に接続される第１の端子が含まれ、
前記第１の端子は、前記第１の端子群と前記第１の電極群との接続位置で、前記第１の端子を構成する導電膜の非形成部分からなるスリットによって複数の分割端子に分割されてなり、
前記分割端子の各々は、前記第１の電極群における所定の電極と電気的に接続されており、
前記第１の端子はグランド電位または高圧電位用の端子である
ことを特徴とする半導体装置の実装構造。
【請求項２】請求項１に記載の半導体の実装構造であって、
前記基板上において、信号を伝達する第２の配線パターンを有し、
前記第１の端子から延設する配線パターンは、前記第２の配線パターンよりも幅広に形成されていることを特徴とする半導体装置の実装構造。
【請求項３】半導体装置を基板の半導体装置実装領域に実装してなる半導体装置の実装構造において、
前記基板の半導体装置実装領域に第１の端子群を備え、
前記半導体装置には、前記第１の端子群に対して異方性導電膜によって電気的に接続される第１の電極群を備え、
前記第１の端子群には、前記第１の電極群を構成する複数の第１の電極と電気的に接続される第１の端子が含まれ、
前記第１の端子は、前記第１の端子群と前記第１の電極群との接続位置で、前記第１の端子を構成する導電膜の非形成部分からなるスリットによって複数の第１の分割端子に分割されてなり、前記第１の分割端子の各々は、前記第１の電極群における所定の電極と電気的に接続されてなり、
さらに、前記基板には、第２の端子群を備えるフレキシブル配線基板接続領域が形成されているとともに、当該第２の端子群には、フレキシブル配線基板の第２の電極群が異方性導電膜によって電気的に接続され、
前記第２の端子群には、前記第２の電極群を構成する複数の第２の電極と電気的に接続される第２の端子が含まれ、前記第２の端子は、前記第２の端子群と前記第２の電極群との接続位置で、前記第２の端子を構成する導電膜の非形成部分からなるスリットによって複数の第２の分割端子に分割されてなり、
前記第２の分割端子の各々は、前記第２の電極群における所定の電極と電気的に接続されており、
前記第１の端子及び第２の端子はグランド電位または高圧電位用の端子である
ことを特徴とする半導体装置の実装構造。
【請求項４】請求項３に記載の半導体の実装構造であって、
前記基板上において、信号を伝達する第２の配線パターンを有し、
前記第１の端子または第２の端子から延設する配線パターンは、前記第２の配線パターンよりも幅広に形成されていることを特徴とする半導体装置の実装構造。
【請求項５】請求項１乃至４に記載の半導体装置の実装構造を備える電気光学装置であって、
前記基板上には、前記半導体装置実装領域に実装された前記半導体装置から各画素に駆動信号を供給する複数の電極パターンが延設されていること特徴とする電気光学装置。
【請求項６】請求項５に記載の電気光学装置を表示部として有することを特徴とする電子機器。
【手続補正３】
【補正対象書類名】明細書
【補正対象項目名】０００１
【補正方法】変更
【補正の内容】
【０００１】
【発明の属する技術分野】
本発明は、半導体装置（以下、ＩＣという）の実装構造、この実装構造を用いた電気光学装置およびこの電気光学装置を表示部として用いた電子機器に関するものである。
【手続補正４】
【補正対象書類名】明細書
【補正対象項目名】００１２
【補正方法】変更
【補正の内容】
【００１２】
【課題を解決するための手段】
上記課題を解決するために、本発明では、半導体装置を基板の半導体装置実装領域に実装してなる半導体装置の実装構造において、前記基板の半導体装置実装領域に第１の端子群を備え、前記半導体装置には、前記第１の端子群に対して異方性導電膜によって電気的に接続される第１の電極群を備え、前記第１の端子群には、前記第１の電極群を構成する複数の第１の電極と電気的に接続される第１の端子が含まれ、前記第１の端子は、前記第１の端子群と前記第１の電極群との接続位置で、前記第１の端子を構成する導電膜の非形成部分からなるスリットによって複数の分割端子に分割されてなり、前記分割端子の各々は、前記第１の電極群における所定の電極と電気的に接続されており、
前記第１の端子はグランド電位または高圧電位用の端子であることを特徴とする。
【手続補正５】
【補正対象書類名】明細書
【補正対象項目名】００１４
【補正方法】変更
【補正の内容】
【００１４】
本発明において、たとえば、前記分割端子群を構成する各々の端子に対しては、前記第１の電極群における所定の電極が電気的に接続される。
また前記第１の端子はグランド電位または高圧電位用の端子であることが好ましい。
更に一方の前記基板上において、信号を伝達する第２の配線パターンを有し、前記第１の端子は前記第２の配線パターンよりも幅広の形成されていることが好ましい。
【手続補正６】
【補正対象書類名】明細書
【補正対象項目名】００１７
【補正方法】変更
【補正の内容】
【００１７】
本発明において、たとえば、前記第２の分割端子群を構成する各々の端子に対しては、前記第２の電極群における所定の電極が電気的に接続される。
また前記第１の端子または第２の端子はグランド電位または高圧電位用の端子であることが好ましい。  
更に一方の前記基板上において、信号を伝達する第２の配線パターンを有し、前記第１の端子または第２の端子は、前記第２の配線パターンよりも幅広の形成されていることが好ましい。
【手続補正７】
【補正対象書類名】明細書
【補正対象項目名】００１９
【補正方法】削除
【補正の内容】
【手続補正８】
【補正対象書類名】明細書
【補正対象項目名】００２０
【補正方法】削除
【補正の内容】
【手続補正９】
【補正対象書類名】明細書
【補正対象項目名】００２１
【補正方法】削除
【補正の内容】
【手続補正１０】
【補正対象書類名】明細書
【補正対象項目名】００２２
【補正方法】削除
【補正の内容】
【手続補正１１】
【補正対象書類名】明細書
【補正対象項目名】００２３
【補正方法】削除
【補正の内容】
【手続補正１２】
【補正対象書類名】明細書
【補正対象項目名】００２４
【補正方法】削除
【補正の内容】
【手続補正１３】
【補正対象書類名】明細書
【補正対象項目名】００２５
【補正方法】削除
【補正の内容】
【手続補正１４】
【補正対象書類名】明細書
【補正対象項目名】００２６
【補正方法】削除
【補正の内容】
【手続補正１５】
【補正対象書類名】明細書
【補正対象項目名】００２７
【補正方法】削除
【補正の内容】
【手続補正１６】
【補正対象書類名】明細書
【補正対象項目名】００２８
【補正方法】削除
【補正の内容】
【手続補正１７】
【補正対象書類名】明細書
【補正対象項目名】００２９
【補正方法】削除
【補正の内容】
【手続補正１８】
【補正対象書類名】明細書
【補正対象項目名】００３０
【補正方法】削除
【補正の内容】
【手続補正１９】
【補正対象書類名】明細書
【補正対象項目名】００３１
【補正方法】削除
【補正の内容】
【手続補正２０】
【補正対象書類名】明細書
【補正対象項目名】００３２
【補正方法】削除
【補正の内容】
【手続補正２１】
【補正対象書類名】明細書
【補正対象項目名】００３３
【補正方法】削除
【補正の内容】
【手続補正２２】
【補正対象書類名】明細書
【補正対象項目名】００３４
【補正方法】削除
【補正の内容】
【手続補正２３】
【補正対象書類名】明細書
【補正対象項目名】００３５
【補正方法】削除
【補正の内容】
【手続補正２４】
【補正対象書類名】明細書
【補正対象項目名】００３６
【補正方法】削除
【補正の内容】
【手続補正２５】
【補正対象書類名】明細書
【補正対象項目名】００３７
【補正方法】削除
【補正の内容】
【手続補正２６】
【補正対象書類名】明細書
【補正対象項目名】００３８
【補正方法】削除
【補正の内容】
【手続補正２７】
【補正対象書類名】明細書
【補正対象項目名】００３９
【補正方法】削除
【補正の内容】
【手続補正２８】
【補正対象書類名】明細書
【補正対象項目名】００４０
【補正方法】削除
【補正の内容】
【手続補正２９】
【補正対象書類名】明細書
【補正対象項目名】００４１
【補正方法】削除
【補正の内容】
【手続補正３０】
【補正対象書類名】明細書
【補正対象項目名】００４２
【補正方法】削除
【補正の内容】
【手続補正３１】
【補正対象書類名】明細書
【補正対象項目名】００４３
【補正方法】削除
【補正の内容】
【手続補正３２】
【補正対象書類名】明細書
【補正対象項目名】００４４
【補正方法】削除
【補正の内容】